(57)【特許請求の範囲】
【請求項１】
押しボタンスイッチであって、
底部と、
前記底部の上方に位置する押しボタン部と、
前記底部と前記押しボタン部との間にて左右に分かれて配置される一対の揺動部材と、
前記一対の揺動部材の一方から他方に亘って存在するばね部材と、
前記ばね部材の上方に位置するスイッチ機構と、
を備え、
前記一対の揺動部材のそれぞれが、
前記底部に平行かつ左右方向に垂直な縦方向を向く揺動軸を中心に揺動可能に支持され、
前記揺動軸よりも前記左右方向外側にて、前記ばね部材の上面に接する第１ばね接触部と、
前記第１ばね接触部よりも前記左右方向内側にて、前記ばね部材の下面に接する第２ばね接触部と、
前記揺動軸よりも前記左右方向外側、かつ、前記縦方向における両端部に設けられ、前記押しボタン部の下降により下方に向かう力を受けるボタン当接部と、
を備え、
前記ボタン当接部が下降して少なくとも一方の揺動部材が揺動することにより、前記ばね部材の前記一対の揺動部材の間の部位が上昇して前記スイッチ機構が操作されることを特徴とする押しボタンスイッチ。
【請求項２】
請求項１に記載の押しボタンスイッチであって、
前記一対の揺動部材のそれぞれが、前記第１ばね接触部よりも前記左右方向内側にて、前記ばね部材の上面に接する第３ばね接触部をさらに備えることを特徴とする押しボタンスイッチ。
【請求項３】
請求項１または２に記載の押しボタンスイッチであって、
前記ばね部材が、板ばねであることを特徴とする押しボタンスイッチ。
【請求項４】
請求項３に記載の押しボタンスイッチであって、
前記板ばねが、前記一対の揺動部材の間にて下方に窪む窪み部を備え、
前記窪み部の前記左右方向の幅が、前記スイッチ機構の幅よりも大きいことを特徴とする押しボタンスイッチ。
【請求項５】
請求項１ないし４のいずれかに記載の押しボタンスイッチであって、
前記一対の揺動部材のそれぞれが、樹脂にて成型された板状であることを特徴とする押しボタンスイッチ。
【発明の詳細な説明】
【技術分野】
【０００１】
本発明は、押しボタン部を押すことにより操作される押しボタンスイッチに関する。
【背景技術】
【０００２】
従来より、エレベータの操作盤において、薄型の押しボタンスイッチが採用されている。このような押しボタンスイッチとして、例えば、特許文献１ないし４に示すものがある。特許文献１に開示される押しボタンスイッチでは、多数のレバーやアーム部を有する部材により、平行状態を保ちながら操作プランジャを昇降させる平行運動機構が構成される。特許文献２に開示される押釦スイッチでは、２つのレバー部材、２つのジョイント部材、スイッチ作動部材等を組み合わせることにより、押釦部を平行移動させるリンク機構が構成される。
【０００３】
一方、特許文献３の押しボタンスイッチでは、スイッチの四隅に４個の操作片を配置することにより、押圧操作板の任意の位置における動作荷重が同じとなる。特許文献４のスイッチ装置では、２つの駆動アームと２つの可動片とを組み合わせることにより、端押ししても接点動作が安定する。
【先行技術文献】
【特許文献】
【０００４】
【特許文献１】特開２００１−９３３７６号公報
【特許文献２】特開２００３−２７２４７３号公報
【特許文献３】特開２００３−２５７２７８号公報
【特許文献４】特開２００６−１００２１１号公報
【発明の概要】
【発明が解決しようとする課題】
【０００５】
ところで、特許文献１ないし４の押しボタンスイッチでは、構造が複雑であるため、製造コストが高くなってしまう。特に、特許文献１および２の押しボタンスイッチでは、部品数が多く、特許文献３の押しボタンスイッチでは、複雑な形状の金属加工が必要となる。その結果、品質の不安定化を招く虞がある。
【０００６】
本発明は上記課題に鑑みなされたものであり、押しボタンスイッチの構造を簡素化することを主たる目的としている。
【課題を解決するための手段】
【０００７】
請求項１に記載の発明は、押しボタンスイッチであって、底部と、前記底部の上方に位置する押しボタン部と、前記底部と前記押しボタン部との間にて左右に分かれて配置される一対の揺動部材と、前記一対の揺動部材の一方から他方に亘って存在するばね部材と、前記ばね部材の上方に位置するスイッチ機構とを備え、前記一対の揺動部材のそれぞれが、前記底部に平行かつ左右方向に垂直な縦方向を向く揺動軸を中心に揺動可能に支持され、前記揺動軸よりも前記左右方向外側にて、前記ばね部材の上面に接する第１ばね接触部と、前記第１ばね接触部よりも前記左右方向内側にて、前記ばね部材の下面に接する第２ばね接触部と、前記揺動軸よりも前記左右方向外側、かつ、前記縦方向における両端部に設けられ、前記押しボタン部の下降により下方に向かう力を受けるボタン当接部とを備え、前記ボタン当接部が下降して少なくとも一方の揺動部材が揺動することにより、前記ばね部材の前記一対の揺動部材の間の部位が上昇して前記スイッチ機構が操作される。
【０００８】
請求項２に記載の発明は、請求項１に記載の押しボタンスイッチであって、前記一対の揺動部材のそれぞれが、前記第１ばね接触部よりも前記左右方向内側にて、前記ばね部材の上面に接する第３ばね接触部をさらに備える。
【０００９】
請求項３に記載の発明は、請求項１または２に記載の押しボタンスイッチであって、前記ばね部材が、板ばねである。
【００１０】
請求項４に記載の発明は、請求項３に記載の押しボタンスイッチであって、前記板ばねが、前記一対の揺動部材の間にて下方に窪む窪み部を備え、前記窪み部の前記左右方向の幅が、前記スイッチ機構の幅よりも大きい。
【００１１】
請求項５に記載の発明は、請求項１ないし４のいずれかに記載の押しボタンスイッチであって、前記一対の揺動部材のそれぞれが、樹脂にて成型された板状である。
【発明の効果】
【００１２】
本発明により、押しボタンスイッチの構造を簡素化することができる。請求項２の発明では、簡単な構造で、端押し時に押しボタン部全体を下降させることができる。
【００１３】
請求項３ないし５の発明では、押しボタンスイッチを薄型化することができる。
【図面の簡単な説明】
【００１４】
【図１】押しボタンスイッチの斜視図である。
【図２】押しボタンスイッチの斜視図である。
【図３】押しボタンスイッチの平面図である。
【図４】押しボタンスイッチの正面図である。
【図５】押しボタンスイッチの分解斜視図である。
【図６】押しボタンスイッチの分解斜視図である。
【図７】揺動部材の斜視図である。
【図８】押しボタンスイッチの内部を示す平面図である。
【図９】押しボタンスイッチの断面図である。
【図１０】押しボタンスイッチの断面図である。
【図１１】押しボタンスイッチの断面図である。
【図１２】押しボタンスイッチの断面図である。
【発明を実施するための形態】
【００１５】
図１は、本発明の第１の実施の形態に係る押しボタンスイッチ１の上面を含む斜視図、図２は、下面を含む斜視図、図３は平面図、図４は正面図である。押しボタンスイッチ１は、押しボタン部１１と、本体部１２とを備える。押しボタンスイッチ１は、エレベータの操作盤に使用されるが、他の機器の操作盤や他の様々な用途に使用することができる。
【００１６】
以下の説明では、押しボタンスイッチ１の押しボタン部１１側を上側、本体部１２側を下側として説明するが、上下方向は重力方向と一致する必要はない。また、図３における左右方向を「左右方向」と呼び、上下方向（すなわち、図４の左右方向および上下方向に垂直な方向）を「縦方向」と呼ぶ。もちろん、左右方向や縦方向は、押しボタンスイッチ１を操作する者から見て左右方向や縦方向である必要はない。
【００１７】
押しボタン部１１は、操作者が指で下方に押すことにより、下方へと移動する。これにより、押しボタンスイッチ１がオン状態となる。押しボタン部１１から指が離れると、押しボタン部１１は上昇して元の位置に戻り、オフ状態となる。押されている間だけ押しボタンスイッチ１がオフ状態となり、押されていない間にオン状態となってもよい。電子回路を内蔵することにより、押しボタン部１１が押下される毎にオン状態とオフ状態とが入れ替わってもよく、さらに複雑なスイッチング動作が行われてもよい。
【００１８】
後述するように、押しボタンスイッチ１内には光源が内蔵されており、例えば、押しボタン部１１が押されることにより、押しボタン部１１が光る。押しボタンスイッチ１の外形は、およそ直方体であり、平面視した場合、正方形である。押しボタンスイッチ１の外形は任意に変更されてよく、平面視した場合に、長方形、円形、楕円等であってもよい。また、押しボタン部１１は本体部１２の上方全体を覆う大きさでなくてもよく、本体部１２よりも小さくても大きくてもよい。
【００１９】
図５および図６は、押しボタンスイッチ１の分解斜視図である。図５は上面側を示し、図６は下面側を示す。押しボタンスイッチ１は、パネル１１１と、パネルホルダ１１２と、リフレクタ１２１と、基板１２２と、保護ラバー１２３と、板ばね１２４と、一対の揺動部材１２５と、ベース部１２６とを備える。
【００２０】
パネル１１１およびパネルホルダ１１２により、押しボタン部１１が構成される。パネル１１１は正方形であり、透光性を有する。パネルホルダ１１２は正方形のフレーム状である。パネルホルダ１１２の内側にパネル１１１が嵌め込まれて固定される。パネルホルダ１１２の各辺の下部は、パネルホルダ１１２の外形よりも僅かに内側に位置し、下部がベース部１２６の内側に位置することにより、押しボタン部１１の移動が案内される。パネルホルダ１１２の左右の各辺の下部は、辺の両端部側に分かれて下方に突出する２つの突起部２１を有する。パネルホルダ１１２の縦方向両側の各辺の下部は、中央にて下方に突出する１つの突起部２２を有する。パネル１１１とパネルホルダ１１２とは、一体形成されてもよい。
【００２１】
リフレクタ１２１は、パネルホルダ１１２よりも小さい正方形のフレーム状である。リフレクタ１２１の表面には、鏡面仕上げが施されている。リフレクタ１２１は、下方に突出する４つの脚部２３を有する。
【００２２】
基板１２２は、脚部２３に対応する４つの切り欠き２４を有する。基板１２２の上面には複数のＬＥＤ（発光ダイオード）２５が実装される。ＬＥＤ２５は、リフレクタ１２１の内側に位置する。基板１２２の下面の中央には、スイッチ機構２６が実装される。スイッチ機構２６は、小型のタクトスイッチである。基板１２２の下面には、他の電子部品も実装される。
【００２３】
保護ラバー１２３は、スイッチ機構２６の下面を覆う。これにより、スイッチ機構２６に不必要に大きな力や衝撃が加わることが防止され、スイッチ機構２６の寿命が向上する。板ばね１２４は、左右方向に延びる帯状の金属の部材を折り曲げたものである。板ばね１２４の中央部２７は、下方に向かって突出するように屈曲する。一対の揺動部材１２５は、ベース部１２６内の左右に配置される。各揺動部材１２５は、縦方向に延びる板状である。揺動部材１２５は樹脂にて成型される。揺動部材１２５の詳細については後述する。板ばね１２４は、一方の揺動部材１２５から他方の揺動部材１２５に亘って存在する。
【００２４】
ベース部１２６は無蓋箱状である。すなわち、ベース部１２６は、正方形の底部３１と、底部３１の外縁部から上方に突出する側壁部３２とを備える。ベース部１２６と押しボタン部１１とが組み合わされることにより、リフレクタ１２１、基板１２２、保護ラバー１２３、板ばね１２４および揺動部材１２５を収容する空間が形成される。底部３１の中央には２つのラバー支持部３３が設けられ、ラバー支持部３３の周囲に４つの基板支持部３４が設けられる。ラバー支持部３３および基板支持部３４は底部３１から上方に突出する。
【００２５】
ラバー支持部３３は、保護ラバー１２３と接して基板１２２と共に保護ラバー１２３を挟持する。基板支持部３４は、基板１２２の下面に当接して基板１２２を支持する。基板支持部３４には、リフレクタ１２１の脚部２３とスナップフィット構造により係合する係合部が設けられる。脚部２３は基板１２２の切り欠き２４を介して基板支持部３４と係合する。これにより、基板１２２がリフレクタ１２１と基板支持部３４との間に挟まれるようにして支持される。
【００２６】
図７は、揺動部材１２５の斜視図である。図８は、押しボタンスイッチ１から押しボタン部１１、リフレクタ１２１、基板１２２および保護ラバー１２３を取り除いた平面図である。図９は、図３に示すＡ−Ａの位置での押しボタンスイッチ１の断面図である。一対の揺動部材１２５は、ベース部１２６の底部３１と押しボタン部１１との間にて左右に分かれて配置される。
【００２７】
図７および図８において一点鎖線にて示す軸４１は、揺動部材１２５の揺動の中心となる揺動軸である。揺動軸４１は、ベース部１２６の底部３１に平行かつ左右方向に垂直な縦方向を向き、左右方向に離れて位置する。揺動部材１２５の縦方向の両端部には、揺動軸４１に沿って突出する突起部４２１が設けられる。実際には、突起部４２１は、揺動軸４１を中心とする円柱部４２の両端部である。突起部４２１がベース部１２６の側壁部３２に設けられた凹部３５内に位置することにより、揺動部材１２５が揺動可能に支持される。図９に示すように、実際には、ベース部１２６の底部３１に溝３６設けられており、円柱部４２が溝３６上に位置することによっても、揺動が案内される。
【００２８】
図７および図８に示すように、揺動部材１２５の揺動軸４１よりも左右方向外側、かつ、縦方向における両端部には、ボタン当接部４３が設けられる。ボタン当接部４３は、少なくとも縦方向の両端部に設けられていればよく、両端部の間にさらに設けられてもよい。また、縦方向の一端側から他端側全体にボタン当接部４３を設けてもよい。ボタン当接部４３は、図６に示すパネルホルダ１１２の下部の突起部２１と当接する。ボタン当接部４３は、押しボタン部１１の下降により下方に向かう力を受ける。これにより、右側の揺動部材１２５は揺動軸４１を中心として回動し、揺動軸４１よりも左右方向外側の部位が下方に向かい、左右方向内側の部位が上方へと向かう。左側の揺動部材１２５も揺動軸４１を中心として回動し、揺動軸４１よりも左右方向外側の部位が下方に向かい、左右方向内側の部位が上方へと向かう。また、図３における押しボタン部１１の右上または右下の部位が押下された場合は、少なくとも右側の揺動部材１２５が回動し、押しボタン部１１の左上または左下の部位が押下された場合は、少なくとも左側の揺動部材１２５が回動する。
【００２９】
揺動部材１２５には、縦方向に並ぶボタン当接部４３の間に、ばね取付部４４が設けられる。ばね取付部４４は、揺動軸４１よりも左右方向外側に位置するのであれば、揺動部材１２５の最も外側に設けられる必要はない。図８および図９に示すように、ばね取付部４４は板ばね１２４の両端部の上面に接する。揺動部材１２５の縦方向中央かつ揺動軸４１の左右方向内側には、内側に突出するばね支持部４５が設けられる。ばね支持部４５は、板ばね１２４の下面に当接する。
【００３０】
図９に示す状態において、押しボタン部１１の中央部が押下されると、右側の揺動部材１２５の２つのボタン当接部４３にパネルホルダ１１２の右側の２つの突起部２１（図６参照）が当接し、右側の揺動部材１２５は、揺動軸４１を中心として時計回りに回動する。また、左側の揺動部材１２５の２つのボタン当接部４３にパネルホルダ１１２の左側の２つの突起部２１が当接し、左側の揺動部材１２５は、揺動軸４１を中心として反時計回りに回動する。これにより、板ばね１２４の両端部が、ばね取付部４４により下方へと向かい、板ばね１２４の中央部２７が、ばね支持部４５により上方へと向かう。図１０に示すように、中央部２７の上昇により、中央部２７の上方に位置するスイッチ機構２６が操作される。正確には、スイッチ機構２６は、図５に示す保護ラバー１２３を介して操作される。
【００３１】
板ばね１２４は、常に右側の揺動部材１２５に反時計回りの力（トルク）を与え、左側の揺動部材１２５に時計回りの力を与える。したがって、操作者の指が押しボタン部１１から離れると、板ばね１２４の力（およびスイッチ機構２６からの力）により、右側の揺動部材１２５が揺動軸４１を中心として反時計回りに回動し、左側の揺動部材１２５が揺動軸４１を中心として時計回りに回動し、押しボタン部１１が上昇して図９に示す状態に戻る。押しボタン部１１は、図９に示されない部位にてベース部１２６と上下方向に当接し、押しボタン部１１はベース部１２６からは抜けない。このように、押しボタンスイッチ１では、別途、押しボタン部１１を復帰させるばねを設ける必要はない。
【００３２】
なお、揺動部材１２５が回動を開始する前の状態から回動後の状態まで、板ばね１２４の両端部の上面は常にばね取付部４４に接して上方に向かう力を与える。押しボタン部１１を押し込む初期の力は、板ばね１２４により決定される。ばね支持部４５は、押しボタン部１１が押し込まれた状態では板ばね１２４の下面に接するが、図９の状態では必ずしも板ばね１２４の下面に接する必要はない。
【００３３】
押しボタン部１１の右側かつ縦方向中央の部位が押された場合、右側の揺動部材１２５の２つのボタン当接部４３にパネルホルダ１１２の右側の２つの突起部２１が当接する。押しボタン部１１の図３における右上の部位が押された場合、右側の揺動部材１２５の図８における上側のボタン当接部４３に突起部２１が当接する。押しボタン部１１の図３における右下の部位が押された場合、右側の揺動部材１２５の図８における下側のボタン当接部４３に突起部２１が当接する。
【００３４】
同様に、押しボタン部１１の左側かつ縦方向中央の部位が押された場合、左側の揺動部材１２５の２つのボタン当接部４３にパネルホルダ１１２の左側の２つの突起部２１が当接する。押しボタン部１１の図３における左上の部位が押された場合、左側の揺動部材１２５の図８における上側のボタン当接部４３に突起部２１が当接する。押しボタン部１１の図３における左下の部位が押された場合、左側の揺動部材１２５の図８における下側のボタン当接部４３に突起部２１が当接する。また、押しボタン部１１の図３における上側かつ左右方向の中央の部位が押された場合、右側の揺動部材１２５の図８における上側のボタン当接部４３と左側の揺動部材１２５の図８における上側のボタン当接部４３に突起部２１が当接する。同様に、押しボタン部１１の図３における下側かつ左右方向の中央の部位が押された場合、右側の揺動部材１２５の図８における下側のボタン当接部４３と左側の揺動部材１２５の図８における下側のボタン当接部４３に突起部２１が当接する。
【００３５】
以上のように、押しボタン部１１の押圧位置によって、押しボタン部１１により押されるボタン当接部４３は変化する。しかし、押しボタン部１１のいずれの位置が押された場合であっても、少なくとも１つのボタン当接部４３が押しボタン部１１に押されて少なくとも一方の揺動部材１２５が揺動軸４１を中心として回動する。また、いずれのボタン当接部４３が押された場合であっても、回動する際には、揺動部材１２５は、ばね取付部４４およびばね支持部４５により板ばね１２４に同様に力を与える。これにより、押しボタン部１１の任意の位置を押圧しても確実にスイッチ機構２６を操作することができる。
【００３６】
第１の実施の形態に係る押しボタンスイッチ１では、押しボタン部１１の下降をスイッチ機構２６に伝達する機構が、実質的に一対の揺動部材１２５および板ばね１２４により実現される。これにより、押しボタンスイッチ１の構造を簡素化することができ、押しボタンスイッチ１の製造コストを削減することができる。
【００３７】
また、揺動部材１２５の構造は、板状の部材に、ボタン当接部４３、ばね取付部４４およびばね支持部４５を設けたものである。揺動部材１２５をこのような板状の簡単な構造とし、かつ、樹脂にて成型することにより、押しボタンスイッチ１の製造コストをさらに削減することができる。また、押しボタンスイッチ１の薄型化も実現される。
【００３８】
加えて、押しボタンスイッチ１では、板ばね１２４が帯状であることから、元の材料から板ばね１２４を低コストにて製造することができる。板ばね１２４の中央部２７は、一対の揺動部材１２５の間の部位であり、下方へと窪む窪み部となっており、窪み部の左右方向の幅はスイッチ機構２６の幅よりも大きい。これにより、左右方向および縦方向において板ばね１２４の中央部２７以外の部位がスイッチ機構２６と干渉することを避けつつ、押しボタンスイッチ１を薄型化することができる。
【００３９】
押しボタンスイッチ１では、揺動部材１２５が左右に設けられ、かつ、揺動部材１２５が押しボタン部１１の縦方向全体と重なることから、押しボタン部１１の隅を押す、いわゆる端押しが行われても、少なくとも一方の揺動部材が回動して板ばね１２４の中央部２７が上昇し、スイッチ機構２６の操作が行われる。これにより、押しボタンスイッチ１の操作を確実に行うことができる。
【００４０】
押しボタンスイッチ１では、剛性が異なる板ばね１２４に変更することにより、押しボタンスイッチの操作に要する力の大きさを容易に変更することができる。また、板ばね１２４を変更して、図９に示す状態において板ばね１２４の端部がばね取付部４４に与える力を変更することにより、押しボタン部１１を押し込む際の初期の力を変更することができる。
【００４１】
さらに、揺動部材１２５の設計を変更して、図１０中に符号４５１にて示す、揺動軸４１からばね支持部４５の先端までの距離を変更することにより、スイッチ機構２６の操作ストロークを容易に変更することができる。これにより、採用するスイッチ機構２６の変更に容易に対応することができる。揺動部材１２５およびベース部１２６の設計を変更する場合、揺動軸４１からボタン当接部４３までの左右方向における距離を変えることにより、押しボタン部１１の押し込み量やスイッチ機構２６の操作ストロークを様々に変更することができる。
【００４２】
このように、押しボタンスイッチ１では、板ばね１２４や揺動部材１２５等の簡単な設計変更により、押しボタンスイッチ１の用途に合わせた様々な仕様変更に容易に対応することができる。以下の他の実施の形態においても同様である。
【００４３】
図１１は、本発明の第２の実施の形態に係る押しボタンスイッチ１ａの断面図であり、図１０の状態に対応する。押しボタンスイッチ１ａでは、揺動部材１２５のばね支持部４５の上方に、ばね保持部４６が設けられる。ばね保持部４６は、板ばね１２４の上面に接する。具体的には、板ばね１２４の（縦方向の）両側においてばね支持部４５から上方に突出する突出部が設けられ、この突出部に、板ばね１２４の上面に向かって互いに近づくように僅かに突出する突起がばね保持部４６として設けられる。ばね保持部４６は、板ばね１２４の上面に引っかかるようにして接する。ばね支持部４５上において、板ばね１２４は、ばね支持部４５とばね保持部４６との間に挟まれるようにして保持される。
【００４４】
押しボタンスイッチ１ａでは、押しボタン部１１が端押しされて一方の揺動部材１２５が回動すると、第１の実施の形態と同様に、板ばね１２４の中央部２７が上昇してスイッチ機構２６が操作される。このとき、他方の揺動部材１２５では、ばね保持部４６が板ばね１２４により持ち上げられ、ばね支持部４５が上昇してばね取付部４４が下降する。その結果、他方の揺動部材１２５側においても押しボタン部１１が下降し、押しボタン部１１全体が下降する。押しボタン部１１から指が離されると、第１の実施の形態と同様に、板ばね１２４の復元力により、両揺動部材１２５が回動し、押しボタン部１１が元の高さに戻る。
【００４５】
このように、端押し時に２つの揺動部材１２５が連動するため、押しボタン部１１の中央を押す場合と端を押す場合とで、押し込む荷重をほぼ同じとすることができる。その結果、操作性が向上する。また、端押し時に押しボタン部１１がほとんど傾斜せずに下降するため、押しボタン部１１とベース部１２６との間に生じる摺接を低減することができる。なお、押しボタン部１１の押圧位置と、押し下げられるボタン当接部４３の位置との関係は、第１の実施の形態と同様である。
【００４６】
また、押しボタンスイッチ１ａでは、第１の実施の形態と同様に構造が簡単であり、押しボタンスイッチ１ａの製造コストを削減することができる。押しボタンスイッチ１ａの薄型化も容易に実現される。
【００４７】
上記動作において、ばね取付部４４を、揺動軸４１の左右方向外側にて板ばね１２４の上面に接する第１ばね接触部と捉え、ばね支持部４５を、揺動軸４１の左右方向内側にて板ばね１２４の下面に接する第２ばね接触部と捉え、ばね保持部４６を、揺動軸４１よりも左右方向内側にて板ばね１２４の上面に接触する第３ばね接触部と捉えた場合、押しボタン部１１が端押しされると、第１ばね接触部および第２ばね接触部により、板ばね１２４の中央部２７が上昇してスイッチ機構２６が操作されるといえる。そして、第３ばね接触部により、他方の揺動部材１２５も回動する。その結果、押しボタン部１１全体がほとんど傾斜せずに下降する。押しボタン部１１から指が離されると、第１ばね接触部および第２ばね接触部により、両揺動部材１２５が元の姿勢に戻り、押しボタン部１１が元の位置へと上昇する。なお、上記説明における第１ばね接触部および第２ばね接触部の機能は、第１の実施の形態でも同様である。
【００４８】
第１および第２の実施の形態では、ばね支持部４５である第２ばね接触部は揺動軸４１よりも左右方向内側に設けられるが、第２ばね接触部は第１ばね接触部よりも内側に設けられるのであれば、揺動軸４１の外側に位置してもよい。図１１では、第３ばね接触部は、揺動軸４１よりも左右方向内側に設けられるが、第３ばね接触部は、第１ばね接触部よりも左右方向内側に設けられるのであれば、揺動軸４１よりも左右方向外側に設けられてもよい。
【００４９】
さらに、第１の実施の形態に係る押しボタンスイッチ１において、図１２に示すようにばね取付部４４を左右方向内側に延ばしてもよい。これにより、板ばね１２４の端部の上面が広い面にて接触し、ばね取付部４４の左右方向外側の部位４４１が第１ばね接触部として機能し、左右方向内側の部位４４２が第３ばね接触部として機能する。このようなばね取付部４４によっても端押し時に両揺動部材１２５を連動させて押しボタン部１１全体を下降させることができる。
【００５０】
以上、本発明の実施の形態について説明したが、本発明は上記実施の形態に限定されるものではなく、様々な変形が可能である。
【００５１】
例えば、板ばね１２４は、棒状のばね部材であってもよい。棒状であっても、第１ばね接触部および第３ばね接触部がばね部材のおよそ上面と捉えることができる部位に接し、第２ばね接触部がばね部材のおよそ下面と捉えることができる部位に接することにより、第１の実施の形態や第２の実施の形態と同様の押しボタンスイッチが実現される。なお、ばね部材が棒状であっても、スイッチ機構２６に接する中央部は幅広で平らであることが好ましい。ばね部材は、両揺動部材１２５の間にて中央部が昇降するように撓むことができる弾性体であれば、材料や形状は様々に変更されてよい。
【００５２】
押しボタン部１１は円形、楕円、八角形等でもよい。揺動部材１２５は押しボタン部１１よりも縦方向に長くてもよい。この場合、揺動部材１２５の押しボタン部１１に重なる領域の縦方向両端部にボタン当接部４３が設けられる。このように、ボタン当接部４３は、揺動部材１２５の縦方向におけるおよそ両端部に位置するのであれば、最も端に設けられる必要はない。
【００５３】
ばね部材である板ばね１２４は、縦方向の中央に配置されなくてもよい。板ばね１２４はパネル１１１を照明する光源を避けて図８における上側や下側に偏って配置されてよい。これにより、他の部品の配置の自由度が高くなる。板ばね１２４は、図８における上下に２つ配置されてもよい。この場合、２つの板ばね１２４の中央部２７の上方に２つのスイッチ機構２６が配置される。２つのスイッチ機構２６が設けられることにより、押しボタンスイッチの信頼性を高めることができる。
【００５４】
スイッチ機構２６は板ばね１２４の完全に中央に位置する必要はなく、中央部と捉えることができる部位の上方に位置すればよい。また、スイッチ機構２６は板ばね１２４の上方（板ばね１２４に接触しても接触しなくてもよい。）であれば必ずしも中央部の上方に位置しなくてもよい。押しボタン部１１が押された場合に、板ばね１２４の少なくとも一対の揺動部材１２５の間の部位が上昇することから、この上昇部位にて操作可能であれば、スイッチ機構２６は板ばね１２４の上方の様々な位置に配置可能である。なお、一対の揺動部材１２５は、互いに左右対称な形状でなくてもよい。スイッチ機構２６には様々なタイプのものが採用されてよい。スイッチ機構２６の構造によっては、保護ラバー１２３は省かれてよい。
【００５５】
揺動部材１２５は、樹脂以外の他の材料にて形成されてよい。揺動部材１２５は板状でなくてもよい。揺動部材１２５は、揺動軸４１を中心に揺動可能に支持されるのであれば、縦方向の両端部で支持される必要はない。ただし、両端部で支持することにより、揺動部材１２５の形状を簡素化することができる。
【００５６】
押しボタンスイッチには、ＬＥＤ２５等の照明部は必ずしも設けられる必要はない。他の手法によりパネル１１１を照明または発光させてもよい。例えば、基板１２２の上面に導光板を設け、ＬＥＤを導光板のエッジに対向するように基板１２２に実装することにより、導光板を発光させ、これにより、パネル１１１の照明が行われてもよい。
【００５７】
上記実施の形態および各変形例における構成は、相互に矛盾しない限り適宜組み合わされてよい。
【産業上の利用可能性】
【００５８】
本発明は、様々な機器の操作盤の押しボタンスイッチとして用いることができ、他の様々な用途の押しボタンスイッチとしても利用することができる。
【符号の説明】
【００５９】
１，１ａ    押しボタンスイッチ
１１    押しボタン部
２６    スイッチ機構
２７    中央部（窪み部）
３１    底部
４１    揺動軸
４３    ボタン当接部
４４    ばね取付部（第１ばね接触部）
４５    ばね支持部（第２ばね接触部）
４６    ばね保持部（第３ばね接触部）
１２４    板ばね（ばね部材）
１２５    揺動部材
【図１】
0005620311.tif 000002
【図２】
0005620311.tif 000003
【図３】
0005620311.tif 000004
【図４】
0005620311.tif 000005
【図５】
0005620311.tif 000006
【図６】
0005620311.tif 000007
【図７】
0005620311.tif 000008
【図８】
0005620311.tif 000009
【図９】
0005620311.tif 000010
【図１０】
0005620311.tif 000011
【図１１】
0005620311.tif 000012
【図１２】
0005620311.tif 000013